(57)【特許請求の範囲】
【請求項１】
選別盤の左右側枠の間に複数のチャフフィンを前後所定間隔をあけて横架し、該チャフフィンの下部の表面上に左右方向に凸部を形成し、左右両側上部に配置した支点ピンを中心にチャフフィンの傾斜角度を変更可とした揺動選別装置において、チャフフィンを左右両側の左フィンと右フィンと、中央のフィン本体と、該左フィンと右フィンとフィン本体をそれぞれ連結する連結板より構成し、中央のフィン本体を表裏反転して付け替え可能に構成したことを特徴とするコンバインの選別装置。
【請求項２】
前記チャフフィンの表面及び裏面の前後中間部に、左右方向に凸状の肉厚部を設け、前記連結板の上面の前後中間部に、左右方向に凹状の溝部を形成し、前記肉厚部と溝部を嵌合可能に構成したことを特徴とする請求項１に記載のコンバインの選別装置。
【発明の詳細な説明】
【技術分野】
【０００１】  本発明は、コンバインや脱穀機に装備される揺動選別装置のチャフフィンの技術に関し、特に、チャフフィンの表裏を容易に変更可能にする技術に関する。
【背景技術】
【０００２】  コンバインや脱穀機等における脱穀部の下方には選別部が配置され、該選別部は揺動選別装置により選別する構成となっており、該揺動選別装置は、フィードパン（流穀板）やチャフシーブやグレンシーブやストローラック等が備えられている。脱粒された後の受網より漏下した穀粒やわら屑等は、選別盤の揺動によりフィードパンより送られてチャフシーブ上に達し、該チャフシーブにより穀粒やわら屑等の粗選別を行う。該チャフシーブは、選別盤の左右側枠に複数のチャフフィンを左右方向に横架し、前後略平行に複数配置するとともに、該チャフフィンの角度を変更可能に構成して、穀粒の種類や脱穀される量や選別性能等に合わせて角度を調節できるようにしている。【０００３】  このように、前記チャフフィンは選別盤の左右の側板に、桟状に前後方向平行に配置して角度変更可能に支持されるが、これらチャフフィンは数が多く連動させるようにするものであるから、簡単に組み立てることが望まれている。この組み立てを簡単に行えるようにした技術が公知となっている（特許文献１、特許文献２参照）。
【特許文献１】特開平８−５６４７２号公報
【特許文献２】特開平８−７０６８４号公報
【発明の開示】
【発明が解決しようとする課題】
【０００４】  ところが、従来の技術におけるチャフフィンは、板状または側面断面視Ｌ字状に構成されるものであり、メンテナンスや表裏の付け替えや交換する場合などでは、選別盤を機体から抜き出してから、各チャフフィンをそれぞれ側方に引き出して、フィン単体をフィン受から抜き出して交換や付け替えを行う必要があった。そのため、その作業に時間がかかり、面倒な作業となっていたのである。
そこで、本発明は上方からボルトを外すだけで容易に反転や交換ができるチャフフィンを提供するものである。
【課題を解決するための手段】
【０００５】  本発明の解決しようとする課題は以上の如くであり、次にこの課題を解決するための手段を説明する。
即ち、選別盤３１の左右側枠５３Ｌ・５３Ｒの間に複数のチャフフィン５５・５５・・・を前後所定間隔をあけて横架し、該チャフフィン５５の下部の表面上に左右方向に凸部５５ｃを形成し、左右両側上部に配置した支点ピン５７を中心にチャフフィン５５の傾斜角度を変更可とした揺動選別装置２７において、チャフフィン５５を左右両側の左フィン５５Ｌと右フィン５５Ｒと、中央のフィン本体５５Ｍと、該左フィン５５Ｌと右フィン５５Ｒとフィン本体５５Ｍをそれぞれ連結する連結板５４より構成し、中央のフィン本体５５Ｍを表裏反転して付け替え可能に構成したものである。【０００６】  また、前記チャフフィン５５の表面及び裏面の前後中間部に、左右方向に凸状の肉厚部５５ａ・５５ｂを設け、前記連結板５４の上面の前後中間部に、左右方向に凹状の溝部５４ｃを形成し、前記肉厚部５５ａまたは５５ｂと溝部５４ｃを嵌合可能に構成したものである。
【発明の効果】
【０００７】  上記構成により、選別盤を機体より抜き出すと、上方よりフィン本体を連結板から取り外すことができ、容易に反転して取り付けることができる。従って、一つずつチャフフィンを側枠より取り外す必要がなくなり、簡単に速やかに付け替えることが可能となる。そして、表裏を反転して付け替えることにより、穀物の種類等に合わせて選別性能を変更できるようになったのである。【０００８】  また、連結板に対してフィン本体を取り付けるときに凹部と凸部が嵌合して、位置決めが容易にでき、組み立てが簡単に行え、取付時の剛性もアップすることができる。
【図面の簡単な説明】
【０００９】
【図１】本発明に係る揺動選別装置を備えたコンバインの全体側面図。
【図２】本発明に係る揺動選別装置を備えたコンバインの全体平面図。
【図３】脱穀部及び選別部の側面図。
【図４】揺動選別装置の平面図。
【図５】選別装置の側面図。
【図６】選別盤からチャフフィンを分解した斜視図。
【図７】選別板のチャフフィン取付部の側面図。
【図８】チャフフィンをフィン受けから分解した状態の斜視図。
【図９】左フィンの平面図。
【図１０】左フィンの側面図。
【図１１】フィン本体の平面図。
【図１２】連結板の平面図。
【図１３】連結板の側面図。
【図１４】チャフフィンを表裏逆に取り付けた状態を示す側面図。
【符号の説明】
【００１０】２７  揺動選別装置
３１  選別盤
５３Ｌ・５３Ｒ  側枠
５４  連結板
５４ｃ  溝部
５５  チャフフィン
５５Ｌ  左フィン
５５Ｒ  右フィン
５５Ｍ  フィン本体
５５ａ・５５ｂ  肉厚部
５５ｃ  凸部
５７  支点ピン
【発明を実施するための最良の形態】
【００１１】  次に、発明の実施の形態を説明する。
以下では、図１から図４を用いて本発明の実施の一形態であるコンバイン１０の全体構成について説明する。なお、本発明は本実施例のコンバイン１０に限定されず、扱胴と送塵口処理胴と送塵搬送コンベアとを備えるコンバイン（自脱型・汎用型）に広く適用可能である。【００１２】  クローラ式走行装置１上には機体フレーム２が載置され、該機体フレーム２前端には引起し・刈取部３が昇降可能に配設されている。該引起し・刈取部３は前端に分草板４を突出して穀稈を分草し、その後部に引起しケース５を立設して該引起しケース５より突出したタイン６の回転により穀稈を引き起こし、前記分草板４後部に配設した刈刃７にて株元を刈り取るようにしている。【００１３】  刈り取られた穀稈は、上部搬送装置、下部搬送装置、縦搬送装置等の穀稈搬送機構８にて後部へ搬送され、該穀稈搬送機構８の後上部から株元がフィードチェーン９に受け継がれ、脱穀部１２内に穀稈が搬送される。そして、該フィードチェーン９後端には排藁チェーン１８が配設され、該排藁チェーン１８後部下方には排藁カッター装置、拡散コンベアなどからなる排藁処理部１９が形成され、排藁を切断して藁片にした後、拡散しながら圃場に均一放出するようにしている。【００１４】  また、前記脱穀部１２側部には選別後の精粒を袋詰めするためのトップサッカ１３が配設され、該トップサッカ１３前部には操縦部１４が配設されている。前記脱穀部１２下方には、選別部１７が配設され、脱穀部１２から流下する穀粒や藁屑等（以下「処理物」とする）から穀粒を選別し、前記トップサッカ１３に搬送するようにしている。【００１５】  次に、脱穀部１２について図３を用いて説明する。
脱穀部１２に形成された扱室２８には、機体の前後方向に軸架された略円柱形状の扱胴２１が設けられ、該扱胴２１の外周面には扱歯２１ａ・２１ａ・・・が植設されている。一方、前記フィードチェーン９により、穀桿の株元部は拘束され、かつ穀桿の先端部は扱胴２１の下方に挿入されつつ機体後方に搬送される。扱胴２１の回転により、扱歯２１ａ・２１ａ・・・が籾（処理物）に接触して脱粒が行われるとともに、受網２０は扱胴２１が格納される扱室２８の下半部を覆うように設けられ、被処理物（籾および細断された藁屑の混合物）のみを下方へ落下するようにしている。【００１６】  そして、前記扱胴２１後部で、トップサッカ１３側（本実施例では進行方向機体右側）に設けた第二処理室に、略円柱形状の送塵口処理胴２２が設けられる。該送塵口処理胴２２は、扱胴２１と平行となるように前後方向に横架・軸支される。こうして、扱胴２１で処理できなかった枝梗付着粒等の未処理物は、扱胴２１後側部に開口した送塵口より第二処理室内に搬送されて処理される。【００１７】  前記脱穀部１２の下方に配置される選別部１７について図３、図４、図５を用いて説明する。
選別部１７においては、揺動選別装置２７による揺動選別と唐箕２６による風選別とが行われ、一番物と二番物と藁屑等に分別される。
揺動選別装置２７は機枠内に収納される。揺動選別装置２７の前端部は扱胴２１の前端部の下方まで延出され、揺動選別装置２７の後端部は送塵口処理胴２２後端部の下方まで延出されるように揺動選別装置２７の前後長さが定められている。そして、揺動選別装置２７前下部には図示せぬ揺動軸が設けられるとともに、後部には揺動駆動機構２３が設けられ、該揺動駆動機構２３によって揺動選別装置２７が機枠に対して揺動するように構成されている。【００１８】  揺動選別装置２７の前部には前流穀板２９が設けられるとともに、該前流穀板２９の後下方に後流穀板３０が設けられる。さらに、前流穀板２９の後部にふるい線４１を配置している。前記前後の流穀板２９・３０は板状の部材を波形に成形したものであり、受網２０を通過した処理物（穀粒および藁屑等との混合物）は前後の流穀板２９・３０上に落下し、揺動選別装置２７の揺動により機体後方に搬送される。そして、前記後流穀板３０後部には、チャフシーブ３７が連設されるとともに、該チャフシーブ３７下方に網状のグレンシーブ３２が配置され、該グレンシーブ３２はフィードパン３６の後方に連設されている。【００１９】  また、揺動選別装置２７下方の前後途中位置には、左右方向に一番コンベア３３と二番コンベア３４とが前後に横設される。一番コンベア３３と二番コンベア３４との位置関係は、一番コンベア３３が唐箕２６に近い側（機枠３５の前部）、二番コンベア３４が唐箕２６から遠い側（機枠３５の後部）となる。
一番コンベア３３の右端部にはその長手方向（搬送方向）が略上下方向となるように設けられた揚穀コンベア３８が連結され、該揚穀コンベア３８の上端はトップサッカ１３内と連通している。【００２０】  揺動選別装置２７内で選別されて一番コンベア３３の流穀板３９上に漏下された一番物は、一番コンベア３３から揚穀コンベア３８を経て、トップサッカ１３に搬送される。
また、前記二番コンベア３４の右端部にはその長手方向（搬送方向）が前方斜め上方となるように設けられた二番還元コンベア４０が連結されており、該二番還元コンベア４０の前方側端に扱胴２１側部に開口されている。
揺動選別装置２７内で選別されて二番コンベア３４の付近に漏下された二番物は、二番コンベア３４から二番還元コンベア４０を経て、扱胴２１に還元されて揉まれ、揺動選別装置２７で再選別される。【００２１】  揺動選別装置２７の後端部上方には、吸引ファン２５が横設されており、該吸引ファン２５により、唐箕２６、プレファン２４から供給される選別風の流れに乗ってきた塵が吸引されて機外に排出される。
唐箕２６は前記後流穀板３０下方に配置され、更に、該唐箕２６の前上方の前記前流穀板２９下方にはプレファン２４が配置されている。こうして、プレファン２４からの選別風は前流穀板２９と後流穀板３０の間から後方に流れ、受網２０を漏下した穀粒やわら屑の風選を行うとともに後方へ送り、ゴミ等は吸引ファン２５に吸い込まれて機外に排出される。更に、プレファン２４からの風は、後流穀板３０とフィードパン３６の間からチャフシーブ３７とグレンシーブ３２との間に導かれていき、処理物を後方に送り出すと同時に、チャフシーブ３７を漏下してくる処理物の、グレンシーブ３２上での風選を行う。
唐箕２６からの風はグレンシーブ３２を通過して落下する処理物の風選を可能としている。【００２２】  前記揺動選別装置２７におけるチャフシーブ３７は図３、図４、図５、図６に示すように、周囲枠体を構成する選別盤３１の左右の揺動側枠５３Ｌ・５３Ｒ間に多数の横棧であるチャフフィン５５・５５・・・を略等間隔で傾斜角調節自在に横架している。各チャフフィン５５の左右両端にはフィン受け５６・５６が左右両側で一体的に結合され、該フィン受け５６の外側上部には支点ピン５７が外水平方向に突出され、該フィン受け５６の外側下部には可動調節ピン５８が外水平方向に突出されている。この支点ピン５７及び可動調節ピン５８は左右側枠５３Ｌ・５３Ｒより外側に突出させて、図６、図７に示すように、支点ピン５７・５７・・・は左右側枠５３Ｌ・５３Ｒの外側で押え板５９を貫通してピン等で回転自在に係止され、可動調節ピン５８・５８・・・は左右側枠５３Ｌ・５３Ｒの外側でフィン連結杆６０を貫通して、ピン等により回転自在に係止されている。そして、押え板５９を左右の側枠５３Ｌ・５３Ｒに固定し、連結杆６０をレバー等の操作で摺動可能に構成することで、連結杆６０を平行移動させることによってフィン５５の傾斜角が変化されてチャフシーブ３７の開度を調節するように構成している。【００２３】  また、前記フィン５５・５５・・・の進行方向左端にフィン受け５６を一体結合させたままでフィン５５を挿通可能とする取付穴６１が左側枠５３Ｌにそれぞれ開口されている。一方、右側枠５３Ｒには、各フィン５５・５５・・・の右端のフィン受け５６・５６・・・の外側上下にそれぞれ設けられる支点ピン５７及び調節ピン５８を挿入するためのピン孔６２及び長孔６３がそれぞれ開口されている。該長孔６３はピン孔６２を中心とした円弧状の長孔に構成している。こうして、揺動側枠５３Ｌ・５３Ｒに対しフィン５６を左側方より出し入れして脱着可能に構成しているのである。【００２４】  次に本発明のフィン５５の構成について説明する。フィン５５は左右を長手方向として平板状に形成され、左フィン５５Ｌと右フィン５５Ｒと中央のフィン本体５５Ｍと、これら左フィン５５Ｌと右フィン５５Ｒとフィン本体５５Ｍをそれぞれ連結する連結板５４より構成し、中央のフィン本体５５Ｍを表裏反転して付け替え可能に構成している。但し、本実施例では、後側の複数枚（６枚）は表裏の交換ができない構成としている。【００２５】  つまり、図９、図１０、図１１に示すように、左フィン５５Ｌと右フィン５５Ｒは同一形状であり、左フィン５５Ｌと右フィン５５Ｒとフィン本体５５Ｍは前後幅が同じで断面形状が同一とし、左フィン５５Ｌと右フィン５５Ｒの取付孔５５ｄとフィン本体５５Ｍの取付孔５５ｅの位置の違いを除き左右幅が異なるのみである。つまり、左右フィン５５Ｌ・５５Ｒはフィン本体５５Ｍの両側を支持するために必要な長さを有すればよく、できるだけ短く構成している。フィン本体５５Ｍは選別を行う部分であり、選別盤３１の内幅より若干短く構成している。そして、左フィン５５Ｌとフィン本体５５Ｍ、及び、右フィン５５Ｒとフィン本体５５Ｍをそれぞれ連結板５４により上面が同一面となるように長手方向に連結して、選別���３１内に納まるようにしている。【００２６】  この左フィン５５Ｌと右フィン５５Ｒと中央のフィン本体５５Ｍとを連結板５４により連結するために、前記左右フィン５５Ｌ・５５Ｒの前後中央、かつ、左右中央部には一対の取付孔５５ｄ・５５ｄが左右並べて開口されている。フィン本体５５Ｍの両側にも前記取付孔５５ｄ・５５ｄと同様の間隔で位置を合わせて取付孔５５ｅ・５５ｅが左右並べて開口されている。さらに、連結板５４の両側にも取付孔５５ｄ・５５ｄ・５５ｅ・５５ｅと同様の間隔及び大きさの取付孔５４ａ・５４ａが開口され、その取付孔５４ａ・５４ａの下部にはボス部５４ｂ・５４ｂを一体的に設けて、ボルトまたはネジを螺装固定できるようにしている。【００２７】  そして、前記チャフフィン５５の表面及び裏面の前後中間部に、左右方向に凸状の肉厚部５５ａ・５５ｂを設け、前記連結板５４の上面の前後中間部に、左右方向に凹状の溝部５４ｃを形成し、前記肉厚部５５ａ・５５ｂと溝部５４ｃを嵌合可能に構成している。
つまり、フィン５５の側面形状は図１０に示すように、前後中央部分より後側、つまり、前記取付孔５５ｄの後部（図１０における右側）に、表面及び裏面の両側に断面四角形の肉厚部５５ａ・５５ｂが大きさ及び上下方向の位置を合わせて突設され、左右方向に延設されている。さらに前部（揺動盤３１への取付時には下端部）の表面側には、断面四角筒形とする凸部５５ｃが形成されて側面視Ｌ字状に構成して、左右方向に延設し、フィン５５の強度確保するとともに、受網２０より漏下した籾や藁屑等の落下に対して一時的に抵抗となるようにしている。【００２８】  前記連結板５４は、図１２、図１３に示すように、前記取付孔５４ａの後方には上方を開放した断面視凹状の溝部５４ｃが左右方向に折り曲げ形成されている。該溝部５４ｃの深さ及び幅は前記チャフフィン５５の肉厚部５５ａ・５５ｂの高さ及び幅に合わせた大きさとしている。【００２９】  また、前記フィン受け５６は、図８に示すように、外方に突設したピン５７・５８の反対側となる内側を前記チャフフィン５５の板厚よりも大きな厚さとして略同様の前後幅とした厚板部５６ａが形成されている。厚板部５６ａの内側面に、前記フィン５５を挿入させる一定深さの凹部である縦及び横方向の切込み溝６４・６５が形成されている。縦長の切込み溝６４は前記厚板部５６ａの中心を通り、この切込み溝６４の中央線を中心として左右対称に各溝６４・６５が設けられている。該縦長の切込み溝６４の中間に前記フィン５５の肉厚部５５ａ・５５ｂを嵌合するための凹部６４ａが形成されている。該切込み溝６４の一側には横方向の切込み溝６５が形成され、該横方向の切込み溝６５と縦長の切込み溝６４とで区画して略四角形状の挿入凸部６６・６６を形成し、該挿入凸部６６・６６のいずれか一方に前記筒部５５ｃを嵌合できるようにしている。【００３０】  このような構成において、左右のフィン受け５６・５６の切込み溝にチャフフィン５５の両側を挿入して挟持させ、この状態で選別盤３１の左側枠５３Ｌに開口した取付穴６１より挿入し、右側のフィン受け５６の支点ピン５７を右側枠５３Ｒに開口したピン孔６２に挿入し、可動調節ピン５８を長孔６３に挿入する。そして、ピン５７・５８の端部に開口した止めピン孔にスナップピン等を挿入して抜け止めとする。
左側のフィン受け５６の支点ピン５７は押え板５９に開口したピン孔に挿入し、可動調節ピン５８はフィン連結杆６０に挿入する。そして、ピン５７・５８の端部に開口した止めピン孔にスナップピン等を挿入して抜け止めとする。こうして、フィン連結杆６０を前後に摺動させることによりチャフフィン５５の角度を変更することができ、穀粒や藁くず等の落下量を調節することができるのである。【００３１】  そして、本発明はこのようにして、揺動選別装置２７を組み立ててコンバインに搭載した後において、チャフシーブ３７からの穀粒等の漏下量を多くしたい場合や湿材が多い場合などでは、チャフフィン５５の傾斜角度を大きくしただけでは、所望の落下量が得られないときがある。このような場合、チャフフィン５５の表裏を入れ替えることで、落下量を多くすることができる。つまり、通常の状態で取り付けたチャフフィン５５は図７に示すように、筒部５５ｃが上方に向けられた状態で取り付けられる。よって、穀粒が傾斜したチャフフィン５５上を滑り落ちるときには抵抗が与えられ、落ちにくく後方へ送る量を多くすることができる。このチャフフィン５５を裏返して取り付けると、図１４に示すように、筒部５５ｃは下方に位置し、チャフフィン５５の上面は平板状となって引っ掛かることなく落下することとなり、落下量を多くすることができる。【００３２】  本発明では、この表裏の付け替えが容易にできるように、前述の如く、チャフフィン５５を左フィン５５Ｌと右フィン５５Ｒとフィン本体５５Ｍの三つに分割して、この左フィン５５Ｌと右フィン５５Ｒとフィン本体５５Ｍを連結板５４・５４を用いて連結している。そして、中央のフィン本体５５Ｍを連結板５４・５４に対して固定しているボルト６８・６８を外して、該フィン本体５５Ｍを持ち上げて反転させることで、筒部５５ｃを下方に位置させた状態で、肉厚部５５ａが溝部５４ｃに嵌まり込み位置決めされた状態となり、この状態でボルト６８を取付孔５５ｅ・５４ａに挿入してボス部５４ｂに螺装して締め付けることにより、フィン本体５５Ｍを連設板５４に固定することができるのである。
【産業上の利用可能性】
【００３３】  本発明のチャフフィンはチャフシーブを構成する部品として、脱穀装置やコンバインの選別装置に装備される揺動選別装置のチャフシーブにおいて、選別時に被選別物の落下量を変更できるようにして、選別性能を向上する用途に利用できる。
【図１】
0004535465.tif 000002
【図２】
0004535465.tif 000003
【図３】
0004535465.tif 000004
【図４】
0004535465.tif 000005
【図５】
0004535465.tif 000006
【図６】
0004535465.tif 000007
【図７】
0004535465.tif 000008
【図８】
0004535465.tif 000009
【図９】
0004535465.tif 000010
【図１０】
0004535465.tif 000011
【図１１】
0004535465.tif 000012
【図１２】
0004535465.tif 000013
【図１３】
0004535465.tif 000014
【図１４】
0004535465.tif 000015